【誤訳訂正書】
【提出日】平成19年5月21日(2007.5.21)
【誤訳訂正１】
【訂正対象書類名】明細書
【訂正対象項目名】全文
【訂正方法】変更
【訂正の内容】
【書類名】      明細書
【発明の名称】  プレーナアンテナおよびそれを含むデュアルバンド送信装置
【特許請求の範囲】
【請求項１】  導電性接地と、
前記接地上に形成された誘電体と、
前記誘電体上に形成されたパッチとをそれぞれ構成する重ね合せられた層を備えるプレーナアンテナであって、
前記パッチは面積と外周を有しかつ前記外周上の起点と前記面積内の閉端部とを有するセパレータスロットを備え、前記閉端部はそれ自体と前記外周との間に通路を残し、前記スロットは前記起点から前記面積に貫通しかつ前記外周と協働して前記面積内に第１の領域と第２の領域との範囲を定め、前記２つの領域は導電性であり、かつ前記スロットによって相互に離間され、かつ前記通路によって接続され、前記領域はそれぞれ面積を有し、かつ前記アンテナは前記２つの導電性領域を相互に結合するリアクタンス性構成要素をさらに含んでおり、
前記リアクタンス性構成要素は、前記第１および第２の各々の面積よりも小さい面積を有する単一のコンデンサであり、前記面積は前記パッチの面積よりも小さく、かつ前記第１の領域上、前記閉端部からある距離を置いたセパレータスロット上、および前記第２の領域上に連続的に延在し、前記コンデンサが、前記パッチと協働しかつそれぞれ前記パッチ上に形成された誘電体層と前記誘電体層上に形成された導電性電極とを構成する前記重ね合せられた層によって形成される、プレーナアンテナ。
【請求項２】  前記コンデンサの面積は、前記パッチの面積の１％〜２５％である請求項１に記載のアンテナ。
【請求項３】  前記リアクタンス性構成要素は前記セパレータスロットの起点近傍にある請求項１に記載のアンテナ。
【請求項４】  前記第１の導電性領域を前記セパレータスロットの起点近傍にある前記接地に電気的に接続する短絡回路をさらに備える請求項３に記載のアンテナ。
【請求項５】  デュアルバンド送信装置であって、
２つの帯域の電気信号を送信しかつ／または受信する、２つのそれぞれ所定の中心周波数付近の２つの作動帯域内の周波数に同調するように構成された信号プロセッサユニットと、
パッチおよび接地を備えるマイクロストリップアンテナと、
前記電気信号を前記２つの中心周波数付近の各放射波に結合するように、前記プロセッサユニットを前記アンテナに接続する導体とを含むアンテナ接続構成とを備え、
前記導体のいくつかは前記アンテナに直接接続され、セパレータスロットは前記パッチ内の２つの導電性領域を少なくとも部分的に分離して、２つの共振によってそれぞれ占有された前記パッチの領域に関して互いに異なる２つの共振を前記アンテナに与え、前記２つの共振は前記各２つの作動帯域の中心に位置し、前記送信装置は前記アンテナ接続構成の外部でかつ前記アンテナの２つの導電性領域を相互に結合しているリアクタンス性構成要素をさらに備え、
前記リアクタンス性構成要素は、前記第１および第２の各々の面積よりも小さい面積を有する単一のコンデンサであり、前記面積は前記パッチの面積よりも小さく、かつ前記第１の領域上、前記閉端部からある距離を置いたセパレータスロット上、および前記第２の領域上に連続的に延在し、前記コンデンサは、前記パッチと協働しかつそれぞれ前記パッチ上に形成された誘電体層と前記誘電体層上に形成された導電性電極とを構成する前記重ね合せられた層によって形成される、デュアルバンド送信装置。
【請求項６】  前記アンテナが、
前記接地と、
前記接地上に形成された誘電体と、
前記誘電体上に形成された前記パッチとをそれぞれ構成する重ね合せられた層を備え、前記パッチは面積と外周を有し、前記パッチは前記セパレータスロットを備え、前記スロットは前記外周上の起点と前記面積内の閉端部を有し、前記閉端部はそれ自体と前記外周との間に通路を残し、前記スロットは前記起点から前記面積に貫通し、かつ前記外周と協働して前記面積内に第１の領域と第２の領域との範囲を定め、前記２つの領域は導電性であり、かつ前記スロットによって相互に電気的に離間され、かつ前記通路によって接続され、前記領域はそれぞれ面積を有し、前記アンテナは前記パッチの外周上の第１の領域内に形成された短絡回路をさらに備え、前記短絡回路および前記セパレータスロットは前記アンテナ内に２つの共振を発生し、前記２つの共振の少なくとも一方は、前記短絡回路によって固定された少なくとも仮想電界ノードを持つ１／４波長の共振であり、前記２つの共振の一方は一次共振を構成し、かつ前前記２つの中心周波数の１つと実質的に同じである一次周波数を有し、前記２つの共振の他方は二次共振を構成し、かつ前前記２つの中心周波数の他方と実質的に同じである二次周波数を有し、前記接続構成は前記アンテナを前記信号プロセッサユニットに２つの中心周波数付近で接続し、かつ前記リアクタンス性構成要素は前記パッチの平面内において実質的に平坦な構成要素である請求項５に記載の送信装置。
【請求項７】  前記アンテナ接続構成に含まれ、かつ前記アンテナに直接接続された前記導体が、
前記同じ導電性層内に前記パッチとして形成されたストリップと、
前記同じ導電性層内に前記アンテナの接地として形成され前記ストリップと共にマイクロストリップ線を構成する接地とだけを備える請求項６に記載の送信装置。
【発明の詳細な説明】
【０００１】
【関連出願の参照】
本願は２００１年１月５日に出願された仏国特許出願第０１  ００  １３９号に基づくものであり、参照としてその開示をここに完全に組み込まれ、またその優先権を３５Ｕ．Ｓ．Ｃ．§１１９に基づいて主張するものである。
【０００２】
【発明の属する技術分野】
本発明は一般に、無線送信装置に関し、特に、移動電話、さらには送信装置に含まれるマイクロストリップアンテナに関する。
【０００３】
【従来の技術】
マイクロストリップアンテナは、典型的には金属層をエッチングすることによって得られるパッチを備えている。この種のアンテナはマイクロストリップパッチアンテナとして知られている。
【０００４】
マイクロストリップ技術は、信号を送信する線と放射波との間に結合を提供する線とアンテナを製造する際に適用されるプレーナ技術である。この技術では、薄い誘電体の上面に形成された導電性ストリップおよび／またはパッチを使用する。誘電体の底面上の導電層は、線およびアンテナの接地を構成する。パッチは、典型的にはストリップに比して幅広であり、形状および寸法はアンテナの重要な特性を構成する。誘電体の形状は、典型的には一定の厚さを有する長方形の平坦なシートの形状をしており、パッチも典型的には長方形である。しかし、誘電体の厚さを変えれば、アンテナの通過帯域を広げ、パッチは円形等の種々の形状でありうる。ストリップまたはパッチと接地層との間の電界線は誘電体を通過する。
【０００５】
このような技術により構成されたアンテナは、必ずではないが、典型的に、空間に放射される波との結合を提供する定在波を支持するように構成された共振構造を構成する。
【０００６】
マイクロストリップ技術を用いて種々の共振構造体を製造することが可能であり、また種々の共振モードを支持することができ、以下これらを単に「共振」と呼ぶ。概して、各共振は同じ経路に沿って対向する２方向に伝搬する２つの進行波の重ね合せによって形成された定在波から構成されると説明することができ、これら２つの波は経路の２端で同じ進行電磁波が交互に反射することにより得られる。以上のモードの説明を用いれば、後者の波は、接地、誘電体およびパッチから構成された電磁線を伝搬し、幅ゼロの線形経路を定める。実際、この種の波は、アンテナによって提供されたセクション全体の上を横に延びる波面を有しており、以上のモードの説明は時に過剰な程度にまで実際の線の状態を単純化する。形状が線形であると考えることができる限り、経路は直線状または曲線状である。以下、この経路を「共振経路」と呼ぶ。共振周波数は、前述の進行波がこの経路の長さを伝播するに要した時間に反比例する。
【０００７】
第１のタイプの共振は「半波長」共振と呼ぶことができる。この種の共振では、共振経路の長さは、典型的には２分の１波長、すなわち前述した伝搬波の波長の半分と実質的に等しい。次に、このアンテナを「半波長」アンテナと呼ぶ。一般に、この種の共振は経路の２端の各々における電流ノードの存在によって定められ、したがって、経路の長さは前記半波長を１以外の整数によって乗算したものと等しくなる。典型的には、この整数は奇数である。放射波との結合は少なくとも経路の一端で得られ、経路の２端は、誘電体の電界が最大振幅を有する領域に位置している。
【０００８】
同じ技術を用いて得られる第２のタイプの共振は、「１／４波長」共振と呼ぶことができる。１／４波長共振は、半波長共振とは、第一に、典型的には共振経路が１／４波長、すなわち以上に定めた波長の１／４と実質的に等しい長さを有するという点で異なる。このため、共振構造は経路の一端に短絡回路を備えている必要があり、「短絡回路」という用語はパッチと接地との間の接続を意味する。また、短絡回路は以上の共振を起こさせるのに十分低いインピーダンスを有していなければならない。一般に、この種の共振は、パッチの端近傍にあるこの種の短絡回路によって固定された電界ノードおよび共振経路の他端に位置する電流ノードによって定められる。したがって、共振経路の長さは前記１／４波長に半波長の整数を足したものに等しい。空間に放射される波との結合は、誘電体を介する電界が十分大きな振幅を有する領域のパッチ端部で得られる。
【０００９】
その他の多少複雑な種類の共振はこの種のアンテナにおいて得ることができ、各共振の特徴は、アンテナおよびその直近部を含む空間領域で発振する電界および磁界の分布にある。このような共振は特にパッチの構成に左右され、この構成はスロット、場合によっては放射スロットを組み込むことができる。また、短絡回路が不完全な場合、すなわちインピーダンスゼロの完全な短絡回路であると近似的にもみなすことができない場合、共振は短絡回路の存在および位置ならびに短絡回路を表す電気的モデルに左右される。
【００１０】
本発明は、携帯電話、携帯電話の基地局、自動車、飛行機およびミサイル等の種々の装置に適用される。携帯電話の場合、マイクロストリップアンテナの底部の接地層には連続的性質があるために、送信時には装置の使用者の身体によって遮断される放射が制限される。外面が金属製で空気抵抗を小さくするように曲線形状になっている、自動車、特に飛行機またはミサイルの場合、このアンテナは厄介な付加的な空気抵抗を生じないようにその形状に沿う。
【００１１】
本発明は、特に、マイクロストリップアンテナが次のような特性を必要とする場合に関する。
【００１２】
アンテナが２重周波数アンテナである必要がある、すなわち、大きなスペクトルの差によって分離された２つの周波数上で放射波を効率的に送信しかつ／または受信できる必要がある。
【００１３】
送信装置のすべての動作周波数のための単一の接続線手段を用いて、その線上に厄介な擬似定在波比を発生させることなく信号プロセッサへの接続が可能なアンテナである必要がある。
【００１４】
また、このような結果を達成するために周波数マルチプレクサまたはデマルチプレクサを使用する必要がない。
【００１５】
上記の３特性を有する従来技術のマイクロストリップアンテナの多くが、製造されてきたか提唱されてきた。これらのアンテナは、複数の共振周波数を得るために使用する手段が異なる。以上の３つのアンテナについて検討する。
【００１６】
前述の種類の第１の従来技術のアンテナは、ＵＳ４，７６６，４４０（Ｇｅｇａｎ）に記載されている。このアンテナのパッチ１０は形状が略長方形であり、このアンテナは２つの半波長共振を有し、共振経路がパッチの長さおよび幅に沿っている。また、このアンテナはＵ字型の曲線状のスロットを有しており、スロットは完全にパッチの内側にある。このスロットは放射スロットであり、別の共振経路に沿って補助的な共振を発生させる。スロットの形状および寸法を適切に選択することによって、スロットは所定の値の共振周波数を発生し、同じ周波数と相対的に９０°の位相を有する交差直線偏波を有する２つのモードを関連付けることによって、環状の偏向波を送信する装置を提供する。結合装置はマイクロストリップ線の形状を取るが、マイクロストリップがパッチ面内にあり、かつパッチの２つのノッチの間を貫通しているという点で、マイクロストリップ線はまた同一平面上にある。この装置は、動作周波数として用いられる種々の共振周波数で、それぞれマイクロストリップ線によって与えられる種々の入力インピーダンスに装置を整合させるインピーダンス変換器を含んでいる。
【００１７】
【発明が解決しようとする課題】
この第１の従来技術のアンテナには、特に次のような欠点がある。
インピーダンス変換器を設ける必要性があるために製造が難しい。
共振周波数を所要の値に正確に調節することが難しい。
【００１８】
第２の従来技術のアンテナは、ＵＳ４，６９２，７６９（Ｇｅｇａｎ）に記載されている。第１の実施形態では、このアンテナのパッチは円盤１０の形状をしており、このアンテナは２つの半波長共振を有している。結合システムは線１６の形状をしており、１／４波長変成器を構成し、２つの共振に対するアンテナの入力インピーダンスの実部と実質的に等しい値を付与するようにパッチの面積内の一点に接続されている。線１６はマイクロストリップ線である。２つのスロットがパッチの導電層に形成され、外周部から面積部まで貫通してスロットの間に線の端子部のストリップの範囲を定めている。スロットの一方は、インピーダンス整合スロット２８を構成する延長部によって延長されている。
【００１９】
第２の従来技術のアンテナには、特に次のような欠点がある。
インピーダンス変換器を製造することが難しい。
共振周波数を正確に所定の値に調節することが難しい。
【００２０】
第３の従来技術であるデュアル周波数アンテナは、１／４波長共振を使用しているという点で、前述のアンテナとは異なる。このアンテナは、１９９５年６月１８−２３号のＩＥＥＥ  ＡＮＴＥＮＮＡＳ  ＡＮＤ  ＰＲＯＰＡＧＡＴＩＯＮ  ＳＯＣＩＥＴＹ  ＩＮＴＥＲＮＡＴＩＯＮＡＬ  ＳＹＭＰＯＳＩＵＭ  ＤＩＧＥＳＴ、２１１４−２１２７頁のＢｏａｇらの“Ｄｕａｌ  Ｂａｎｄ  Ｃａｖｉｔｙ−Ｂａｃｋｅｄ  Ｑｕａｒｔｅｒ−ｗａｖｅ  Ｐａｔｃｈ  Ａｎｔｅｎｎａ”に記載されている。第１の共振周波数は、アンテナの誘電体およびパッチの寸法および特性によって定められる。整合システムは同じ共振経路上で第２の周波数で、実質的に同じ種類の共振を発生する。
【００２１】
第３の従来技術のアンテナには、次のような欠点がある。
いくつかの適用例では、２つの共振周波数の差が小さすぎる。
整合システムを使用する必要があるため、アンテナの製造が難しくなる。
整合システムを使用する必要があるため、アンテナの結合装置を同軸線として製造することが難しい。
【００２２】
本発明には特に次のような目的がある。
製造が簡単なデュアル周波数アンテナであること。
送信装置の２つの動作帯域の中心周波数の比率を、従来のものに比して自由に選択できること、特に、アンテナの使用可能な２つの共振周波数の比率が約１．２５：１から約５：１、特には約２：１であるような装置用のアンテナであること。
アンテナの通過帯域が、２つの帯域の各々に位置する装置の、１つが送信周波数および他が受信周波数である２つの共振周波数の各々の付近で十分広いこと。
２つの共振周波数の調節が簡単かつ正確に行えること。
２つの共振周波数の各々に対して単一の結合装置を用いて、そのインピーダンスを用意に調節できること。
アンテナの寸法を小さくすること。
【００２３】
【課題を解決するための手段】
上記の目的を視野に入れて、本発明は、導電性接地と、接地上に形成された誘電体と、基板上に形成されたパッチとをそれぞれ構成する重ね合せられた層を備えるプレーナアンテナを提供し、パッチは面積と外周を有し、かつ外周上の起点と面積内の閉端部とを有するセパレータスロット備え、閉端部はそれ自体と外周との間に通路を残し、スロットは起点から面積に貫通し、かつ外周と協働して面積内に第１の領域と第２の領域との範囲を定め、２つの領域は導電性があり、かつスロットによって相互に電気的に離間され、かつ通路によって接続され、領域はそれぞれ面積を有し、かつアンテナは２つの導電性領域を相互に結合するリアクタンス性構成要素をさらに含む。
【００２４】
リアクタンス性構成要素は、好適には例えば表面実装型等の平坦なものであり、これはアンテナのプレーナ構造から大きな突出物がないことを意味する。例えば、構成要素は第１および第２の各面積よりも面積が小さいコンデンサであり、構成要素の面積はパッチの面積よりも小さく、第１の領域上、閉端部からある距離を置いたセパレータスロット上および第２の領域上を連続的に延在し、コンデンサは、パッチと協働しかつそれぞれパッチ上に形成された誘電体層と誘電体層上に形成された導電性電極とを構成する重ね合せられた層によって形成される。
【００２５】
しかし、平坦なリアクタンス性構成要素は異なる形状を有し、本発明に沿う結合を提供することができる。例えば、この構成要素は、パッチの２つの領域の対向する端部内の適切な切り込み（ｃｕｔ−ｏｕｔ）によってセパレータスロットのトレースに組み込まれた交互に嵌合されたコンデンサであってよい。
【００２６】
アンテナは好適には、第１の導電領域とセパレータスロットの起点近傍の接地とを電気的に接続する短絡回路をさらに備えている。
【００２７】
コンデンサの面積は、好適には、パッチの面積の１％〜２５％である。
【００２８】
好適には、２つの共振がともに短絡回路から延在する共振経路をそれぞれ有するように、セパレータスロットの起点は短絡回路付近に位置し、２つ経路の一方は第１の領域内にのみ延在し、他方の経路は第１および第２の領域内に延在する。
【００２９】
本発明の種々の態様は以下の説明および添付の図面からよりよく理解されよう。構成要素を図面の２つ以上の図で示す場合、同じ参照符号および／または文字を用いて表される。
【００３０】
【発明の実施の形態】
当技術分野において知られている方法において、および図１から図３で示されているように、本発明のアンテナの共振構造は以下の構成要素を備えている。
【００３１】
水平の縦方向ＤＬおよび水平の横方向ＤＴに延在する２つの対向する主表面を有する誘電体２。前述のように、この誘電体は種々の形状であってよい。２つの主表面は、それぞれ底面および上面を構成する。
【００３２】
例えば、底面全体の上に延在し、アンテナの接地４を構成する底部の導電層。
【００３３】
接地４上の上面の面積上に延在する上部の導電層であり、パッチ６を構成する。一般に、このパッチはＤＬ方向の長さおよびＤＴ方向の幅を有し、外周部は４つの端部を構成すると考えられる。一般に、この端部の１つはＤＴ方向に延在し、２つのセグメント１０およびセグメント１１を含む後端を構成する。前端１２はこの後端と対向している。一般に、第１および第２の側方端１４および１６はＤＬ方向に延在し、後端を前端に結合する。
【００３４】
最後に、パッチ６をパッチ後端のセグメント１０の接地４に電気的に接続する短絡回路である。提示する本発明の実施形態では、短絡回路は誘電体２の端部表面上に延在する導電層Ｓによって形成され、この表面は典型的には平坦であり、次に短絡回路の平面を構成する。短絡回路は、少なくともアンテナの約１つの共振および少なくともアンテナの１つの共振に対しては、セグメント１０近傍で電界ノードを起こし、実質的には１／４波長のタイプとなる。短絡回路が十分な大きさである場合、すなわち特にそのインピーダンスがこの種の電界ノードを有する共振をアンテナに起こすのに十分低い場合、後端、前端および側方端ならびに縦方向および横方向は、この短絡回路の位置によって定められる。
【００３５】
アンテナは結合システムをさらに備えている。結合システムはマイクロストリップ線の形を取る。一方で、この線は結合ストリップＣ１から構成される主導体を誘電体の上面に備えている。このストリップは、例えば第１の側方端１４上にあってよい接続ポイント１８のパッチ６に接続される。後端１０からこのポイントまでの距離は、接続寸法Ｌ４を構成する。この線は層４から構成される接地導体をさらに備える。図１では単に図を単純化するために、誘電体２はストリップＣ１の下には図示せず、線はきわめて短く示す。結合システムは、信号プロセッサユニットＴにアンテナの共振構造を接続する接続構成の一部であり、送信アンテナの場合、このユニットによって例えば１つまたは複数のアンテナの共振を励振する。結合システムに加え、接続構成は典型的には、アンテナ外部の接続線を備える。この線は例えば、同軸線、マイクロストリップ線または同一平面上の線であってよい。図１ではこの線は、接地４およびストリップＣ１を信号プロセッサユニットＴの２つの端子に接続する２本の導電性ワイヤＣ２およびＣ３として示されている。しかし、実際この線は好適にはマイクロストリップ線または同軸線の形を取ることを理解する必要がある。
【００３６】
信号プロセッサユニットＴは、少なくともアンテナの使用可能な周波数付近、すなわち使用可能な周波数の通過帯域の中心にある通過帯域であり、少なくともアンテナの共振の一部の周波数である、所定の動作周波数で動作するように構成されている。信号プロセッサユニットは複合的なユニットであってよく、この場合ユニットはそれぞれ各動作周波数の１つに永久的に同調する装置を備える。また、信号プロセッサユニットは、種々の動作周波数に同調することができる装置を備えることもできる。
【００３７】
セパレータスロット１７は、後端の２つのセグメント１０および１１を分離する起点４０からパッチ６の面積へと貫通している。このスロットは、側方端１４および１６ならびに前端１２からある距離に位置している閉端部１５まで延在している。このスロットは部分的に、互いに他から第１および第２の領域３１および３３を分離しており、この領域は閉端部を越えて経路３２によって接続される。例えば、スロットは同様の長さの３つの直線状のセグメントを備え、第１のセグメントは起点４０から前端１２に向けて延在して第２の側方端１６に接近し、第２のセグメントは前端に平行で側方端に向けて延在し、第３のセグメントは第１のセグメントに平行に閉端部１５まで延在する。この閉端部から２つの端部までの距離は、それぞれパッチの長さの半分および幅の半分よりも短い。スロットの幅は、長さに沿った各ポイントで定められる。幅はこの実施形態では一定であるが、必ずしもいつも当てはまるとは限らない。
【００３８】
スロットがあるために、一次共振周波数を有する一次共振および二次共振周波数を有する一次、二次共振をそれぞれ構成する２つの共振が発生する。一次共振はパッチ６全体に延在する。この共振は約１／４波長であり、この共振経路は短絡回路Ｓから後端のセグメント１１まで延在する。主としてこの共振は、セグメント１１および第２の側方端１６の隣接部からの放射波と結合される。二次共振は領域３１にのみ延在する。この二次共振もまた約１／４波長であり、共振経路は短絡回路Ｓから前端１２まで延在している。主としてこの共振は、前端および第１の側方端１４の隣接部からの放射波と結合される。
【００３９】
図１にのみ示すように、第１の領域３１はパッチ６の平面に延在している突出部３４を有し、前端１２近傍の第１の側方端１４から突出してよい。この種の突出はアンテナの共振周波数の調節を容易にすることが認められている。
【００４０】
本発明の観点では、アンテナ１は好適には平坦であり、コンデンサＣＲ等から構成されるリアクタンス性結合構成要素をさらに備える。このコンデンサは第１および第２の領域３１および３３の面積よりも面積が小さく、その面積はパッチ６の面積より小さく、第１の領域上、閉端部１５からある距離に位置するセパレータスロット１７上および第２の領域上に連続的に延在している。図３に示すように、このコンデンサはパッチ６と協働し、かつパッチ上に形成された誘電体層ＣＤと誘電体層上に形成された導電性電極ＣＡとをそれぞれ構成する重ね合せられた層から形成される。
【００４１】
このコンデンサは例えば長方形であり、その面積はパッチの面積の約５％である。このコンデンサは、好適には、パッチの外周部と接触しているか、または直近部にある。
【００４２】
コンデンサＣＲから構成されたリアクタンス性結合構成要素は、第１および第２の導電性領域３１と３３との間に結合を作り、この結合には以下の３つの利点がある。
アンテナ製造中、コンデンサの長さおよび幅の調節が容易になり、カップングを調節することによりアンテナの電気的パラメータが修正される。
コンデンサがあるためにアンテナの電気的長さが増える。すなわち、所要の値の共振周波数を保ちながらアンテナの全体的寸法は小さくなる。
定在波比を著しく大きくすることなく２つの共振周波数の通過帯域が広がる。
【００４３】
図２に示した実施形態の種々の配置、構成および値を以下の例により示す。
アンテナの接地は誘電体の底面を被覆する。
短絡回路Ｓは第１の領域３１の後端を構成するセグメント１０の幅をすべて占有している。
誘電体２の構成は、誘電率１．０７および放散定数０．０００２であるフォーム（ｆｏａｍ）である。
誘電体の厚さＨ１は７ｍｍである。
導電層の構成物は銅である。
導電層の厚さは１７ミクロンである。
導体Ｃ１の幅は５ｍｍである。
接続寸法Ｌ４は１０ｍｍである。
パッチの長さＬ１は３５ｍｍである。
パッチの幅Ｗ１は２４ｍｍである。
セグメント１１の幅Ｗ５は１６ｍｍである。
スロット１７の幅は０．７５ｍｍである。
スロットのトレースＬ５は１３ｍｍ、Ｗ２は９ｍｍ、Ｗ３は８ｍｍ、Ｌ２は６ｍｍ、Ｗ４は３ｍｍである。
コンデンサＣＲの層ＣＤの誘電率は２．２である。
層ＣＤの厚さＨ２は０．１ｍｍである。
コンデンサＣＲの長さＬ３は６ｍｍである。
コンデンサＣＲの幅Ｗ６は７ｍｍである。
入力インピーダンスは５０Ωである。
一次共振周波数Ｆ１は９６５ＭＨｚである。
二次共振周波数Ｆ２は１８６０ＭＨｚである。
一次および二次周波数付近の通過帯域の幅は、−６ｄＢで測定したとき、それぞれ前記周波数の９．１％および１９％である。
【００４４】
コンデンサＣＲがない場合、共振周波数および通過帯域幅はそれぞれ、Ｆ１＝１１２０ＭＨｚ、Ｆ２＝２２７０ＭＨｚ、１６％および１０％となる。
【図面の簡単な説明】
【図１】
本発明の送信装置の透視図である。
【図２】
図１に示した装置の図に類似する本発明のアンテナの平面図である。
【図３】
図２のアンテナの縦断面を示す部分図である。
【図４】
同じアンテナを種々の寸法で示すために図２を再構成した図である。
【符号の説明】
６  パッチ
３４  突出部
Ｃ３、Ｃ２  導電性ワイヤ
４  接地
Ｔ  信号プロセッサユニット
Ｃ１  結合ストリップ
Ｓ  導電層
ＣＲ  コンデンサ
２  誘電体
１  アンテナ
１７  セパレータスロット